(57)【要約】【課題】入浴の際に支障を来しにくく、しかも風呂の湯の改質効果を十分に確保し得る健康増進入浴装置を提供する。【解決手段】水質改質効果を有する二股ラジウム温泉鉱石、マイナスイオンセラミックス、トルマリンセラミックスおよび遠赤外線セラミックスを多数の貫通孔４が形成された容器２に封入した健康増進入浴装置１であって、壁面に固定可能な吸盤部３を容器２に備えて構成されている。吸盤部３で浴槽の壁面に容器を固定することで、入浴の際に不用意に足で踏みつけたり、踏み外して転倒したりするなどの支障を来しにくい健康増進入浴装置１を実現することができる。また、風呂の湯の改質効果を十分に確保することができる。【選択図】図２
0003102006.tif 000002
【実用新案登録請求の範囲】
【請求項１】
水質改質効果を有する素材を多数の貫通孔が形成された容器に封入した健康増進入浴装置であって、
壁面に固定可能な固定手段を前記容器に備えて構成されている健康増進入浴装置。
【請求項２】
前記素材は、二股ラジウム温泉鉱石、マイナスイオンセラミックス、トルマリンセラミックスおよび遠赤外線セラミックスの少なくとも１種類を含んで構成されている請求項１記載の健康増進入浴装置。
【請求項３】
前記固定手段は、吸盤で構成されている請求項１または２記載の健康増進入浴装置。
【請求項４】
前記吸盤は、首振り動作可能に構成されている請求項１から３のいずれかに記載の健康増進入浴装置。
【考案の詳細な説明】
【技術分野】
【０００１】
本考案は、主として家庭における風呂の浴槽等に浸漬させて風呂の湯を改質することで健康を増進する健康増進入浴装置に関するものである。
【背景技術】
【０００２】
この種の健康増進入浴装置として、実用新案登録第３０９４０１１号公報に開示された健康増進入浴装置が知られている。この健康増進入浴装置は、同公報中の図２に示すように、浴槽の底部に置いて使用される。また、この健康増進入浴装置は、同公報中の図１に示すように、表面に貫通孔が形成されて、浴槽水による収納物の流出を避けるための金網が内側に配設され、ラジウム放射線を放射する湯の花焼結セラミックスと竹炭セラミックスとを内部に収納して構成されている。
【特許文献１】実用新案登録第３０９４０１１号公報（第１−２図）
【考案の開示】
【考案が解決しようとする課題】
【０００３】
ところが、この健康増進入浴装置には、以下の解決すべき課題がある。すなわち、この健康増進入浴装置では、上記公報中の図２に示すように、浴槽の底部に置いて使用されているが、入浴の際に不用意に足で踏みつけたり、踏み外して転倒したりするなどの支障を来すことあり、この点を解決すべきであるいう課題が存在する。
【０００４】
本考案は、かかる課題に鑑みてなされたものであり、入浴の際に支障を来しにくく、しかも風呂の湯の改質効果を十分に確保し得る健康増進入浴装置を提供することを主目的とする。
【課題を解決するための手段】
【０００５】
上記目的を達成すべく請求項１記載の健康増進入浴装置は、水質改質効果を有する素材を多数の貫通孔が形成された容器に封入した健康増進入浴装置であって、壁面に固定可能な固定手段を前記容器に備えて構成されている。
【０００６】
請求項２記載の健康増進入浴装置は、請求項１記載の健康増進入浴装置において、前記素材は、二股ラジウム温泉鉱石、マイナスイオンセラミックス、トルマリンセラミックスおよび遠赤外線セラミックスの少なくとも１種類を含んで構成されている。
【０００７】
請求項３記載の健康増進入浴装置は、請求項１または２記載の健康増進入浴装置において、前記固定手段は、吸盤で構成されている。
【０００８】
請求項４記載の健康増進入浴装置は、請求項１から３のいずれかに記載の健康増進入浴装置において、前記吸盤は、首振り動作可能に構成されている。
【考案の効果】
【０００９】
請求項１記載の健康増進入浴装置によれば、固定手段で浴槽の壁面に容器を固定することで、入浴の際に不用意に足で踏みつけたり、踏み外して転倒したりするなどの支障を来しにくい健康増進入浴装置を実現することができる。また、浴槽に固定した状態では、水質改質効果を有する素材によって風呂の湯の改質効果を十分に確保することができる。
【００１０】
請求項２記載の健康増進入浴装置によれば、二股ラジウム温泉鉱石、マイナスイオンセラミックス、トルマリンセラミックスおよび遠赤外線セラミックスの少なくとも１種類を含んで素材を構成したことにより、風呂の湯を健康増進効果に一層優れた湯質に改質することができる。
【００１１】
請求項３記載の健康増進入浴装置によれば、吸盤で固定手段を構成したことにより、壁面に対する容器の着脱を容易に行うことができる。
【００１２】
請求項４記載の健康増進入浴装置によれば、首振り可能に構成したことにより、浴槽の壁面が平らでなく湾曲しているときであっても、健康増進入浴装置を確実に設置することができる。
【考案を実施するための最良の形態】
【００１３】
以下、本考案に係る健康増進入浴装置の最良の形態について、添付図面を参照して説明する。
【００１４】
最初に、本考案に係る健康増進入浴装置を適用した健康増進入浴装置１の構成について、図面を参照して説明する。
【００１５】
健康増進入浴装置１は、図１〜図３に示すように、容器２、２つの吸盤部３，３、および４つの足５，５・・を備えて構成されている。容器２は、同図に示すように、一例として、その縦、横および厚みがそれぞれ１６ｃｍ、２５ｃｍおよび３．５ｃｍの直方体の角部を隅切りした８角柱の箱状に形成されている。また、容器２は、一例として、ステンレスで形成されている。さらに、容器２は、同図に示すように、一例として、直径４〜６ｍｍの貫通孔４が表面全域に複数形成されている。さらに、容器２は、貫通孔４を介しての収納物の流出を防止するために、その内面側に金網が配設されている。なお、容器２内の収納物については、後述する。
【００１６】
吸盤部３は、図１〜図３に示すように、一例として、容器２の背面上方にそれぞれ配設されている。また、吸盤部３は、図４に示すように、一例として、直径約７．５ｃｍの塩化ビニールで形成された吸盤３１と、吸盤取り付け金具３２と、吸盤固定軸３３と、ねじ３４とを備えて構成されている。吸盤３１は、本考案における固定手段に相当し、吸盤３１を貫通した孔に吸盤固定軸３３を貫通させることによって吸盤取り付け金具３２に取り付けられている。また、吸盤３１は、吸盤固定軸３３を軸として首振り動作可能に固定されている。ねじ３４は、吸盤取り付け金具３２に固定されている。一方、容器２には、ねじ３４に嵌合するねじ孔（図示せず）が形成されていて、ねじ３４をねじ込むことによって容器２に吸盤部３が固定される。また、吸盤３１は、同図に示すように、外周部の一部に吸盤ベロ３５が形成されている。足５は、図２および図３に示すように、一例として、容器２の背面４カ所に配設されている。この場合、足５は、吸盤部３を使用しないとき（吸盤部３を容器２に取り付けないとき）に、容器２の足として機能する。
【００１７】
容器２の内部には、上記した収納物として、二股ラジウム温泉鉱石、マイナスイオンセラミックス、トルマリンセラミックスおよび遠赤外線セラミックスが、一例として、それぞれ５００ｇ、６００ｇ、３００ｇおよび３００ｇ収納されている。なお、二股ラジウム温泉鉱石、マイナスイオンセラミックス、トルマリンセラミックスおよび遠赤外線セラミックスは、本考案の素材に相当する。この場合、二股ラジウム温泉鉱石は、浴槽の湯に浸すことにより、二股ラジウム温泉と同様の湯質となるように湯を改質する。マイナスイオンセラミックスは、マイナスイオンを発生して、浴槽の湯に浸すことにより、浴槽の湯をマイナスイオン化し、また、湯から空気中にもマイナスイオンを放射させる。トルマリンセラミックスは、電気石とも呼ばれ、永久電極を有するトルマリンで構成され、浴槽の湯に浸すことによって湯の電気分解を行い、湯のクラスターを小さくして、マイナスイオンおよび遠赤外線を放射する。遠赤外線セラミックスは、遠赤外線を放射する。健康増進入浴装置１は、浴槽に固定した状態では、このような水質改質効果を有する素材の働きによって浴槽の湯を健康増進効果に優れた湯質に改質（本考案における水質改質効果）する改質効果を十分に確保する。
【００１８】
次に、健康増進入浴装置１の設置方法について説明する。
【００１９】
この健康増進入浴装置１では、一例として、図５に示すように、その側面が浴槽Ｂの底部に当たる位置に設置する。この場合、浴槽Ｂの内壁面（本考案における壁面に相当する）に吸盤部３（吸盤３１）を吸着させることにより、健康増進入浴装置１は容易に設置（本考案における固定）される。この際に、浴槽Ｂの内壁面が平らでなく湾曲しているときであっても、吸盤固定軸３３を軸として首振り可能に吸盤３１を構成されているため、健康増進入浴装置１を確実に設置することができる。
【００２０】
健康増進入浴装置１を浴槽Ｂの内壁面に設置した状態では、入浴の際に不用意に足で踏みつけたり、踏み外して転倒したりすることを有効に防止することができる。したがって、何ら支障を来すことなく入浴することができる。一方、浴槽Ｂから取り外す際には、吸盤ベロ３５をつまんで引っ張ることにより、吸盤３１が浴槽Ｂの内壁面から簡単に剥がれて、健康増進入浴装置１が取り外される。
【００２１】
次に、健康増進入浴装置１の使用方法について説明する。
【００２２】
二股ラジウム温泉鉱石、マイナスイオンセラミックス、トルマリンセラミックスおよび遠赤外線セラミックスによる湯の改質効果を十分に発揮させて、風呂の湯を健康増進効果に優れた湯質に改質するためには、健康増進入浴装置１を浴槽Ｂに約３０〜４０分沈めておくことが好ましい。したがって、入浴前において、健康増進入浴装置１を設置した状態で浴槽Ｂに湯を張り、その状態で約３０〜４０分待機する。この状態では、湯質が十分に改質されているため、入浴の際に十分な健康増進効果を得ることができる。一方、湯が冷め易い給湯式の浴槽Ｂを使用する場合には、健康増進入浴装置１を少量の水に予め浸しておき、入浴する直前に給湯することにより、十分に健康増進効果を得ることができる。
【図面の簡単な説明】
【００２３】
【図１】健康増進入浴装置１の正面図である。
【図２】健康増進入浴装置１の背面図である。
【図３】図２における矢印Ａ側から見た健康増進入浴装置１の上面図である。
【図４】吸盤部３の側面図である。
【図５】浴槽Ｂに健康増進入浴装置１を設置した状態を示す斜視図である。
【符号の説明】
【００２４】
１  健康増進入浴装置
２  容器
３  吸盤部
３１  吸盤
４  貫通孔
Ｂ  浴槽
【図１】
0003102006.tif 000003
【図２】
0003102006.tif 000004
【図３】
0003102006.tif 000005
【図４】
0003102006.tif 000006
【図５】
0003102006.tif 000007